(57)【要約】  【課題】従来のマスター/スレーブ方式の受信装置では、マスター側に機能が集中しているため、マスター側が受信不可能な状態になった場合に、スレーブ側の受信信号が良好でも、正しく受信できなくなる。  【解決手段】本発明の受信装置は、複数のブランチを有し、前記複数のブランチごとにモード、ガードインターバルを検出するモード・ガード検出機能を有し、前記モード・ガード検出機能で検出したモード、ガードインターバルが前記複数のブランチで異なる場合に、モード、ガードインターバルの組み合わせに優先順位を設けて決定する。  【選択図】  図１
2008244969.tif 000002
【特許請求の範囲】
【請求項１】
複数のブランチを有し、前記複数のブランチごとにモード、ガードインターバルを検出するモード・ガード検出機能を有し、前記モード・ガード検出機能で検出したモード、ガードインターバルが前記複数のブランチで異なる場合に、モード、ガードインターバルの組み合わせに優先順位を設けて決定することを特徴とする受信装置。
【請求項２】
前記設けられるモード、ガードインターバルの組み合わせの優先順位が、変更可能であることを特徴とする請求項１記載の受信装置。
【発明の詳細な説明】
【技術分野】
【０００１】
本発明はＯＦＤＭ(直行周波数分割多重)方式による伝送信号を受信する受信装置におけるモード及びガードインターバルの検出方法に関する。
【背景技術】
【０００２】
現在、わが国および欧州での地上デジタル放送では、ＯＦＤＭ（直交周波数分割多重）とよばれる伝送方式が用いられている。また、一般にＯＦＤＭの伝送シンボルには有効シンボルとガードインターバルとから成り、想定される伝送環境に応じてモード（有効シンボルに対応する）とガードインターバルが設定できる。例えば、わが国の地上デジタルテレビジョン放送方式であるＩＳＤＢ−Ｔにおいては、３種類のモードと４種類のガードインターバルが規定されている。
【０００３】
ＩＳＤＢ−Ｔのように複数のモード及びガードインターバルが規定されている場合は、受信装置でこれらを検出して受信する必要がある。
【０００４】
また、移動体受信においては、受信性能の向上のために複数のアンテナを用いるダイバーシティ方式を採用することが多く、この場合においても受信装置でモード及びガードインターバルを検出する必要がある。
【０００５】
ダイバーシティ方式を採用した従来の受信装置の一例が特許文献１に記載されている。特許文献１記載の受信装置は、マスター/スレーブ型の構成になっている。マスター/スレーブ構成では、１つのブランチがマスターとなり、その他複数のブランチがスレーブとなり、モード、ガードインターバルの検出及びダイバー合成をマスター側に搭載している。
【０００６】
この場合、何らかの要因でダイバー側の受信信号が劣悪で、モード及びガードインターバルの検出が困難で誤検出すると、スレーブ側のブランチに対する入力が良好でも受信不可となる。
【特許文献１】特開２００５−１５０９１１号公報
【発明の開示】
【発明が解決しようとする課題】
【０００７】
上記のように、マスター/スレーブ型の構成では、マスター側に機能が集中しているため、マスター側が受信不可能な状態になった場合に、スレーブ側の受信信号が良好でも、正しく受信できなくなる。
【０００８】
本発明は、上記のような受信信号が良好なブランチが１本以上ある場合に、受信装置として正しく受信できるようにするために、モード及びガードインターバルの検出方法を提供することを目的とする。
【課題を解決するための手段】
【０００９】
本発明の受信装置は、複数のブランチを有し、前記複数のブランチごとにモード、ガードインターバルを検出するモード・ガード検出機能を有し、前記モード・ガード検出機能で検出したモード、ガードインターバルが前記複数のブランチで異なる場合に、モード、ガードインターバルの組み合わせに優先順位を設けて決定する。
【発明の効果】
【００１０】
本発明によれば、ダイバーシティ方式において、マスター/スレーブの関係を解消することができ、受信信号が少なくとも１ブランチ以上良好な場合に、正しく受信することができる。
【発明を実施するための最良の形態】
【００１１】
以下、本発明の実施形態を図面にもとづいて説明する。
【００１２】
図１に本発明の実施形態による受信装置の構成例を示す。図１において、1、２はそれぞれブランチ、３はモード・ガード設定部、４は合成部、５は誤り訂正部、６はソースデコーダ部、７は外部出力部である。
【００１３】
ブランチ１はさらにアンテナ部１１、チューナ部１２、ＯＦＤＭ復調部１３、モード・ガード検出部１４とからなり、ブランチ２はさらにアンテナ部２１、チューナ部２２、ＯＦＤＭ復調部２３、モード・ガード検出部２４とからなり、ブランチ１，２それぞれの内部の構成要素は互いに同一でも良い。
【００１４】
以下では、本実施形態に係る受信装置の各構成要素の動作を説明する。
【００１５】
ブランチ１では、アンテナ部１１で受信した電波がチューナ部１２に供給される。
【００１６】
チューナ部１２はアンテナ部１１から供給される電波に対して所定のチャネルの電波を抽出し、周波数変換を行ってIF（中間周波数）信号を生成し、ＯＦＤＭ復調部１３に供給する。
【００１７】
ＯＦＤＭ復調部１３はチューナ部１２から供給されるIF信号に対して、モード・ガード設定部３より供給されるモードおよびガードインターバルの組み合わせ（以下、“伝送モード”と称す）ＭＧを用いて、Ａ／Ｄ変換、直交検波、ＦＦＴ等の処理を行い、復調信号を生成しブランチ１の出力として合成部へ供給するとともに、直交検波の処理後に得られるベースバンドのＯＦＤＭ信号をモード・ガード検出部１４に供給する。
【００１８】
ここで言うモードとは、受信信号の有効シンボル長に対応するものであり、わが国の地上デジタルテレビジョン放送方式ＩＳＤＢ−Ｔでは、モード１、モード２、モード３が規程されており、また、ガードインターバルとは、マルチパス妨害の影響を軽減するため送信信号中に有効シンボルの末尾をコピーして挿入されるものであり、ＩＳＤＢ−Ｔでは有効シンボル長の１／４、１／８、１／１６、１／３２が規程されている。これらのモードとガードインターバルの組み合わせは送信側で任意に設定可能であり、受信側で自動的に検出することが必要である。
【００１９】
モード・ガード検出部１４はＯＦＤＭ復調部から供給されるベースバンドのＯＦＤＭ信号より、ガード期間の相関等からブランチ１で受信した信号のモードおよびガードインターバルを検出し、検出したモードおよびガードインターバルの組み合わせをブランチ１で受信した信号の伝送モードＭＧＴ１としてモード・ガードインターバル制御部３に供給する。
【００２０】
ブランチ２では、アンテナ部２１で受信した電波がチューナ部２２に供給される。
【００２１】
チューナ部２２はアンテナ部２１から供給される電波に対して所定のチャネルの電波を抽出し、周波数変換を行ってIF（中間周波数）信号を生成し、ＯＦＤＭ復調部２３に供給する。
【００２２】
ＯＦＤＭ復調部２３はチューナ部２２から供給されるIF信号に対して、モード・ガード設定部３より供給されるモードおよびガードインターバルの組み合わせＭＧを用いて、Ａ／Ｄ変換、直交検波、ＦＦＴ等の処理を行い、復調信号を生成しブランチ２の出力として合成部４へ供給するとともに、直交検波の処理後に得られるベースバンドのＯＦＤＭ信号をモード・ガード検出部２４に供給する。
【００２３】
モード・ガード検出部２４はＯＦＤＭ復調部から供給されるベースバンドのＯＦＤＭ信号より、ガード期間の相関等からブランチ２で受信した信号のモードおよびガードインターバルを検出し、検出したモードおよびガードインターバルの組み合わせをブランチ２で受信した信号の伝送モードＭＧＴ２としてモード・ガードインターバル制御部３に供給する。
【００２４】
モード・ガード設定部３は、ブランチ１より供給される伝送モードＭＧＴ１とブランチ２より供給される伝送モードＭＧＴ２とを用いて、本受信装置が受信する信号の伝送モードとしてＭＧを決定し、ブランチ１のＯＦＤＭ復調部１３、ブランチ２のＯＦＤＭ復調部２３、および誤り訂正部５に供給する。
【００２５】
合成部４は、ブランチ１，ブランチ２からそれぞれ供給される復調信号に対して最大比合成などのダイバーシティ合成を行い、処理した結果を合成信号して誤り訂正部５に供給する。
【００２６】
誤り訂正部５は、合成部４から供給される合成信号に対して軟判定、デインターリーブ、ビタビ復号、リードソロモン復号などの処理を施し、復号データ（たとえば、ＭＰＥＧのトランスポートストリーム）を生成しソースデコーダ部６へ供給する。
【００２７】
ソースデコーダ部６は、誤り訂正部５から供給される復号データに対して、映像や音声、その他のデータを分離し、ＭＰＥＧなどで圧縮されている場合には伸張処理等（以下、単にＭＰＥＧデコード処理と称す）を行い映像信号、音声信号、その他のデータを出力信号として外部出力部７に供給する。
【００２８】
外部出力部７は、ソースデコーダ部６から供給される出力信号が映像信号であればディスプレイ表示する、あるいは、ソースデコーダ部６から供給される出力信号が音声信号であればスピーカーとして音声出力する、あるいは、ソースデコーダ部６から供給される出力信号がその他のデータであれば外部装置に出力する、あるいはそれらのいずれかを行うものである。
【００２９】
つづいて、モード・ガード設定部３における伝送モードＭＧの決定動作について説明する。モード・ガード設定部３には、本受信装置が受信可能なＯＦＤＭ信号のモードおよびガードインターバルの組み合わせが予め定められた優先順位とともにリストに設定、保持されている。リストの内容の一例としては、図２に示すように、優先順位1位としてモード３、ガードインターバル１／８、優先順位２位としてモード３、ガードインターバル１／４、…などと設定されたものであってもよい。さらにモード・ガード設定部３は、ブランチ１より供給される伝送モードＭＧＴ１と、ブランチ２より供給される伝送モードＭＧＴ２とに対して、上記リストを参照し、ＭＧＴ１とＭＧＴ２のうち、リスト上で優先順位のより高い伝送モードに合致した方を選択し、結果を本受信装置が受信する信号の伝送モードＭＧとする。
【００３０】
たとえば、本受信装置がモード３、ガードインターバル１／８の伝送モードで送信されたＯＦＤＭ信号を受信し、さらにブランチ１の受信状態が劣悪で、ブランチ２の受信状態が良好であるような状況を考える。またこのとき、ブランチ１からはＭＧＴ１としてモー
ド２、ガードインターバル１／４の組み合わせが得られ、ブランチ３からはＭＧＴ２としてモード３、ガードインターバル１／８の組み合わせが得られたとする。
【００３１】
ここで、モード・ガード設定部３に図２のような優先優先順位のリストが設定されているものとすると、ＭＧＴ１が示すモード２、ガードインターバル１／４の組み合わせよりもＭＧＴ２が示すモード３、ガードインターバル１／８の組み合わせのリスト上の優先順位が高いため、モード・ガード設定部３は、モード３、ガードインターバル１／８の組み合わせを伝送モードＭＧとして選択する。
【００３２】
以上、本実施形態に係る受信装置よれば、ブランチごとに異なるモード、ガードインターバルの値を検出した場合に、モード、ガードインターバルの組み合わせに優先順位を設けて適切な伝送モードを決定することができ、受信信号が少なくとも１ブランチ以上良好な場合に、正しく受信することができる。
【００３３】
なお、モード・ガード設定部３におけるリストの優先順位、組み合わせの内容と数については、放送事業者等による実際の運用状況に即して、ユーザが任意設定可能なものとしてもよい。ＩＳＤＢ−Ｔではモードが３種類、ガードインターバルが４種類規定されており、これらの全ての組み合わせは１２通りあるが、これらの組み合わせすべてをリストに設定するのではなく、実際の運用状況を鑑みて一部のみを選択してリストに設定しても良い。
【００３４】
また、上記ではブランチの数が２の場合について説明を行ったが、本発明の技術的範囲はこれに限定されるものではなく、ブランチを複数有してダイバーシティ受信を行う受信装置であれば本発明を容易に実施できることは明白である。
【００３５】
また、本実施形態に係る受信装置によれば、ブランチごとに異なるモード・ガードインターバルの値を検出した場合に、各ブランチで受信した信号の品質などを検出する必要が無いため、簡単な回路構成で適切にモードとガードインターバルの決定を行うことができる。
【００３６】
また、本発明は、国内や欧州の地上デジタルテレビジョン放送だけでなく、無線ＬＡＮなど伝送方式にＯＦＤＭを用いるその他の無線通信メディアにおいてダイバーシティ受信を行う受信装置への実施も可能である。
【産業上の利用可能性】
【００３７】
本発明にかかる受信装置は、複数のブランチを有してダイバーシティ受信を行うものであり、地上デジタル放送や無線ＬＡＮなどの無線通信を行う受信装置として有用である。
【図面の簡単な説明】
【００３８】
【図１】本発明の実施形態による受信装置の構成例を示すブロック図
【図２】本発明の実施形態によるモード・ガード設定部３のリストの内容を示す図
【符号の説明】
【００３９】
１，２…ブランチ
３…モード・ガード設定部
４…合成部
５…誤り訂正部
６…ソースデコーダ部
７…外部出力部
【図１】
2008244969.tif 000003
【図２】
2008244969.tif 000004